(57)【要約】【課題】ドアについての設置ミスを無くすことができるプッシュプル錠を提供すること。【解決手段】固定部１に対して正面視コ字状の可動部材２の両端側部を、進退自在に設けると共に押し込む方向にバネ３で付勢し、固定部１の端面と可動部材２のコ字状部により形成される角孔ｈ内に角芯６を密に貫通させると共に前記バネ３の付勢力に抗して可動部材２を退出側移動させる態様で前記角芯６を平面視で正逆回動させ得るようにし、前記可動部材２の退出側移動と連動する係止部材４を設け、係止部材４の前記連動により、ラッチ５がドア９内へ完全収納されない係止部材４との係止状態から完全収納される非係止状態になる。【選択図】図２
2007297788.tif 000002
【特許請求の範囲】
【請求項１】
固定部に対して正面視コ字状の可動部材の両端側部を、進退自在に設けると共に押し込む方向にバネで付勢し、固定部の端面と可動部材のコ字状部により形成される角孔内に角芯を密に貫通させると共に前記バネの付勢力に抗して可動部材を退出側移動させる態様で前記角芯を平面視で正逆回動させ得るようにし、前記可動部材の退出側移動と連動する係止部材を設け、係止部材の前記連動により、ラッチはドア内へ完全収納されない係止部材との係止状態から完全収納される非係止状態になるようにしてあることを特徴とするプッシュプル錠。
【請求項２】
可動部材は、板材を折り曲げるようにして形成されていることを特徴とする請求項１記載のプッシュプル錠。
【請求項３】
可動部材の一端側部には延長部材を一体化させてあり、前記延長部材を介して、可動部材の退出側移動に対して係止部材が連動することを特徴とする請求項１又は２に記載のプッシュプル錠。
【請求項４】
角芯の両端部には、ハンドルが取り付けられることを特徴とする請求項１乃至３のいずれかに記載のプッシュプル錠。
【発明の詳細な説明】
【技術分野】
【０００１】
この発明は、ハンドル部分の少しの「引き操作」や「押し操作」によりドアを開くことができるプッシュプル錠に関するものである。
【背景技術】
【０００２】
従来、ドアを開閉するためのハンドルは、回動させる形式のものがほとんどであったが、近年に至ってはハンドルの少しの「引き操作」や「押し操作」によりドアを開くことができる所謂プッシュプル錠が見受けられるようになってきている。
【０００３】
上記プッシュプル錠としては、例えば特許文献１に示すものがある。このプッシュプル錠によると、一方側からドアを開く場合にはハンドルを「引き操作」し、他方側からドアを開く場合にはハンドルを「押し操作」するようになっている。
【０００４】
ところで、ドアはドア枠に納められた状態で、ヒンジを介してドア枠に揺動自在に取り付けられているが、閉状態の位置決めのためドア枠に当たりを設けてある。
【０００５】
したがって、上記プッシュプル錠において、「引き操作」用ハンドルと「押し操作」用ハンドルを逆に設置した場合、ドア枠の当たりによりドアの開閉操作が全くできないような事態が生じる。このような事態が生じないように注意をしていても現場サイドでは設置ミスが生じることが以外に多い。
【０００６】
上記のようなことから、施工業者の間では、ドアについての設置ミスを確実に無くすことができるプッシュプル錠が開発されることを待ち望んでいる。
【特許文献１】特開平１１−５０７０７
【発明の開示】
【発明が解決しようとする課題】
【０００７】
そこで、この発明では、ドアについての設置ミスを確実に無くすことができるプッシュプル錠を提供することを課題とする。
【課題を解決するための手段】
【０００８】
（請求項１記載の発明）
この発明のプッシュプル錠は、固定部に対して正面視コ字状の可動部材の両端側部を、進退自在に設けると共に押し込む方向にバネで付勢し、固定部の端面と可動部材のコ字状部により形成される角孔内に角芯を密に貫通させると共に前記バネの付勢力に抗して可動部材を退出側移動させる態様で前記角芯を平面視で正逆回動させ得るようにし、前記可動部材の退出側移動と連動する係止部材を設け、係止部材の前記連動により、ラッチがドア内へ完全収納されない係止部材との係止状態から完全収納される非係止状態になるようにしてある。
【０００９】
（請求項２記載の発明）
この発明のプッシュプル錠は、上記請求項１記載の発明に関し、可動部材は、板材を折り曲げるようにして形成されている。
【００１０】
（請求項３記載の発明）
この発明のプッシュプル錠は、上記請求項１又は２記載の発明に関し、可動部材の一端側部には延長部材を一体化させてあり、前記延長部材を介して、可動部材の退出側移動に対して係止部材が連動する。
【００１１】
（請求項４記載の発明）
この発明のプッシュプル錠は、上記請求項１乃至３のいずれかに記載の発明に関し、角芯の両端部には、ハンドルが取り付けられる。
【発明の効果】
【００１２】
この発明のプッシュプル錠によると、ドアについての設置ミスを確実に無くすことができる。
【発明を実施するための最良の形態】
【００１３】
以下にこの発明におけるプッシュプル錠Ｐを実施するための最良の形態として実施例について詳しく説明する。
【実施例１】
【００１４】
図１はドア９のハンドル８側付近を片面側から見た斜視図、図２は前記ドアに設置されているプッシュプル錠Ｐであり、係止部材４とラッチ５が係止状態になるときの正面図、図３は図２の状態から係止部材４とラッチ５が非係止状態になるときの正面図、図４はドア９のハンドル８側付近を上面側から見た平面図、図５はハンドル８を前後に移動（角芯６を正逆回動）させた状態の平面図、図６は固定部１の端面と可動部材２のコ字状部により形成される角孔ｈ内に角芯６を密に貫通させた状態の断面図、図７は図６の状態から角芯６を正逆回動させた状態を示す断面図を示している。
【００１５】
（プッシュプル錠Ｐを用いたドアＤの基本的構造について）
このドア９は、図１や図４に示すように、ドア本体９０の開閉支点（ヒンジ）の反対側の側面９１に凹み部９２を設けると共に前記凹み部９２にプッシュプル錠Ｐを埋設するようにしてあり、前記プッシュプル錠Ｐのラッチ５を上記側面９１から突出させている。
【００１６】
また、このドア９に取り付けられるハンドル８は、図４に示すように、プッシュプル錠Ｐの角孔ｈに密に嵌通された角芯６の各端部に取り付けられており、角芯６が平面視正逆回動する態様でハンドル８を前後に「押し操作」及び「引き操作」ができるようになっている。
【００１７】
なお、このドア９では、図１や図４に示すように、角芯６がドア本体９０から突出する開口部分を化粧板８４で覆ってあり、前記化粧板８４には角芯６が挿通される、横長孔８６を有した円弧部８５を設けてある。
【００１８】
（このプッシュプル錠Pの構成について）
プッシュプル錠Ｐは、図２や図３に示すように、側面９１に対してラッチ５を出没自在に設けるためのラッチ移動手段Ｐ１と、ハンドル８の「押し操作」及び「引き操作」をしないときにはラッチ５を側面９１内に没入不能にし且つハンドル８の「押し操作」及び「引き操作」をしたときにはラッチ５を側面９１内に没入可能にするハンドル操作手段Ｐ２とから構成されており、これらラッチ移動手段Ｐ１及びハンドル操作手段Ｐ２はケーシング７内に収容されている。
【００１９】
ラッチ移動手段Ｐ１は、図２や図３に示すように、側面９１から抜け止め状態に突出させてあるラッチ５と、一端側が前記ラッチ５と当接し且つ他端側がブラケット５１に進退自在に取り付けられた棒体５０と、前記棒体５０を側面９１から押し出す方向に付勢するバネ５２とから構成されている。なお、このラッチ移動手段Ｐ１によると、ラッチ５は従来のものと同様に押込み力が加わるとその力により側面９１内に完全に没入せしめられるようになっている。
【００２０】
ハンドル操作手段Ｐ２は、図２や図３に示すように、固定部１に対して正面視コ字状の可動部材２の両端側部を、進退自在に設けると共に押し込む方向にバネ３で付勢し、固定部１の端面１０と可動部材２のコ字状部により形成される（囲まれる）角孔ｈ内に角芯６を密に貫通させると共に前記バネ３の付勢力に抗して可動部材２を退出側移動させる態様で前記角芯６を平面視で正逆回動させ得るようにしてある。そして、前記可動部材２の退出側移動と連なって移動（連動）する係止部材４を設け、係止部材４により、ラッチ５がドア９の側面９１内へ完全収納されない係止部材４との係止状態から完全収納される非係止状態になるようにしてある。
【００２１】
ここで、上記固定部１は、図８に示す上下に挿通孔１０，１１を有するブロック状の角体であり、可動部材２はこれの両端側部２０，２１が、前記挿通孔１０，１１に挿入される態様で進退自在に取り付けられている。この実施例においては両端側部２０，２１のうち一方である符号２１側に延長部材２２を一体化させてあり、前記延長部材２２に形成された係部２３を介して、可動部材２の退出側移動に対して係止部材４が連動するようにしてある。
【００２２】
また、係止部材４は、図２や図３に示すように、ケーシング７の構成壁面と上板４０との間に設けた、回転軸４２を中心として正逆回動する回動板４１により構成してある。そして、可動部材２に一体化させた延長部材２２の係部２３を上板４０に穿設した孔を介して回動板４１に係合させている。つまり、可動部材２が退出側移動せしめられたときには、回動板４１が延長部材２２の係部２３との係わりにより回動せしめられて、回動板４１がラッチ５の移動域に侵入した状態（図２の状態）から侵入していない状態（図３の状態）になるようにしてある。
【００２３】
（このプッシュプル錠Pを有するドア９の機能について）
このプッシュプル錠Ｐを有するドア９は以下に示すような機能を有する
ハンドル８を図４に示す無操作状態から、図５に示す「押し操作」及び「引き操作」をすると、固定部１に対して図６や図７から判るように、「α」だけ可動部材２が退出側に移動し、その結果、回動板４１が延長部材２２の係部２３との係わりにより回動せしめられて、回動板４１がラッチ５の移動域に侵入した状態（図２の状態）から侵入していない状態（図３の状態）になる。
【００２４】
つまり、このドア９は、ハンドル８の「押し操作」及び「引き操作」の両方でラッチ５を側面９１内に没入可能にでき、両方の操作によりドア９を開くことができる。したがって、ドア９についての設置方向のミスを確実に無くすことができる。
【００２５】
（その他）
このプッシュプル錠は基本的には上記実施例の構成により成り立つが、最も重要な構成要素は、ハンドル８の押し操作及び引き操作により、ラッチがドア内へ完全収納されない状態から完全収納される状態に変化するようになっていることである。
【図面の簡単な説明】
【００２６】
【図１】図１はドアのハンドル側付近を片面側から見た斜視図。
【図２】図２は前記ドアに設置されているプッシュプル錠であり、係止部材とラッチが係止状態の正面図。
【図３】図２の状態から係止部材とラッチが非係止状態となったときの正面図。
【図４】ドアのハンドル側付近を上面側から見た平面図。
【図５】ハンドルを前後に移動（角芯を正逆回動）させた状態の平面図。
【図６】固定部の端面と可動部材のコ字状部により形成される角孔内に角芯を密に貫通させた状態の断面図。
【図７】図６の状態から角芯を平面視で正逆回動させた状態を示す断面図。
【図８】固定部材と可動部材との斜視図。
【符号の説明】
【００２７】
Ｐ      プッシュプル錠
Ｐ１    ラッチ移動手段
Ｐ２    ハンドル操作手段
１      固定部
２      可動部材
３      バネ
４      係止部材  
５      ラッチ
６      角芯
７      ケーシング
８      ハンドル
９      ドア
９０    ドア本体
９１    側面
９２    凹み部
【図１】
2007297788.tif 000003
【図２】
2007297788.tif 000004
【図３】
2007297788.tif 000005
【図４】
2007297788.tif 000006
【図５】
2007297788.tif 000007
【図６】
2007297788.tif 000008
【図７】
2007297788.tif 000009
【図８】
2007297788.tif 000010